(57)【要約】【目的】１８リットル缶等の大容量容器を小さい押圧力により、扁平状に圧潰する空容器潰し機を提供する。【構成】ベース１上に受圧ブロック１６を配設し、該受圧ブロック１６に対向して上方に、ヘッド３の下方に配置した加圧ブロック１７を配設し、ヘッド３を下降することにより、受圧ブロック１６上に横置した空容器３１の胴部を受圧ブロック１６と上記加圧ブロック１７間にて挟み圧縮変形する空容器潰し機において、上記受圧ブロック１６の上面に溝ｆを形成し、上記加圧ブロック１７の外周に受圧ブロック１６の溝ｆに咬合する鋭角の稜線ａ及び、鈍角の稜線ｂの異なる形状を形成し、又該加圧ブロック１７の前後面に軸２０を配設し、且つ上記ヘッド３の下方に加圧ブロック１７の軸２０の回動及び、上下動を許容する遊びを有する吊枠２１を軸２０に外挿し加圧ブロック１７を吊支したことを特徴とする空容器潰し機。【選択図】図４
2005088079.tif 000002
【特許請求の範囲】
【請求項１】
ベース上に受圧ブロックを配設し、該受圧ブロックに対向して上方に、ヘッドの下方に配置した加圧ブロックを配設し、該ヘッドを下降することにより、該受圧ブロック上に横置した空容器の天板及び底板間の胴部を該受圧ブロックと上記加圧ブロック間にて挟み圧縮変形する空容器潰し機において、上記受圧ブロックの上面に前後方向に延在する溝を形成し、上記加圧ブロックの外周に該受圧ブロックの該溝に咬合する鋭角の稜線形状及び、鈍角の稜線形状の異なる形状を形成し、又該加圧ブロックの前後面に前後方向に延在する軸を配設し、且つ上記ヘッドの前後の下方に該加圧ブロックの該軸の回動及び、上下動を許容する遊びを有する吊枠を配設して、該軸に該吊枠を外挿し該加圧ブロックを吊支し、該軸を回動するに伴ない該加圧ブロックを回動し、上記空容器の異なる形状に対応した上記加圧ブロックの外周面を下方にし、該空容器に当接且つ該ヘッドを押圧することにより該空容器の抗力が該軸を上動し、ヘッドの下面が該加圧ブロックの上面を押さえ、上記空容器の圧潰を遂行せしめる構成としたことを特徴とする空容器潰し機。
【発明の詳細な説明】
【発明の詳細な説明】
【産業上の利用分野】
【０００１】本発明は、使用済みの１８リットル缶等の大容量の空容器を潰し、扁平に圧縮変形する潰し機に関する。
【背景技術】
【０００２】
【特許文献１】特開２０００−２０２６９５
【０００３】  特許文献１は、上下の板で空容器を挟み、空容器の胴部を扁平に圧縮変形して天板と底板がフランジ状に張り出したＨ字形状に変形する空容器潰し機を示している。
【発明が解決しようとする課題】
【０００４】  而して、特許文献１の方法によると、空容器の胴部を圧縮するとき、空容器の抗力を上下の板の平面抵抗で受ける為、圧縮するのに強大な力を要する。
【０００５】  また、特許文献１の方法によると、Ｈ字形状に変形した空容器は、扁平に圧縮された胴板に対し、天板と底板が直角に張り出し、換言すると天板と底板の中央部から胴板が垂直に延びた剛構造となる。
【０００６】  従って、上記Ｈ字形状に変形された空容器の天板又は底板を床面に設置し、該空容器を垂直上方より天板又は底板を押圧して扁平圧潰せんとした場合には、扁平胴板の垂直抗力により強大な押圧力を要する。
【課題を解決するための手段】
【０００７】  本発明は、上記の問題点を解決する空容器潰し機を提供する。本空容器潰し機は、ベース上に受圧ブロックを配設し、該受圧ブロックに対向して上方に、ヘッドの下方に配置した加圧ブロックを配設し、該ヘッドを下降することにより、該受圧ブロック上に横置した空容器の天板及び底板間の胴部を該受圧ブロックと上記加圧ブロック間にて挟み圧縮変形する空容器潰し機において、上記受圧ブロックの上面に前後方向に延在する溝を形成し、上記加圧ブロックの外周に該受圧ブロックの該溝に咬合する鋭角の稜線形状及び、鈍角の稜線形状の異なる形状を形成し、又該加圧ブロックの前後面に前後方向に延在する軸を配設し、且つ上記ヘッドの前後の下方に該加圧ブロックの該軸の回動及び、上下動を許容する遊びを有する吊枠を配設して、該軸に該吊枠を外挿し該加圧ブロックを吊支し、該軸を回動するに伴ない該加圧ブロックを回動し、上記空容器の異なる形状に対応した上記加圧ブロックの外周面を下方にし、該空容器に当接且つ該ヘッドを押圧することにより該空容器の抗力が該軸を上動し、ヘッドの下面が該加圧ブロックの上面を押さえ、上記空容器の圧潰を遂行せしめる構成とした。
【０００８】  これにより空容器の胴部を加圧ブロックの鋭角の稜線部で圧潰することで空容器の抗力を小さくし、且つ空容器に折り目を形成せしめ、爾後該加圧ブロックを回動して加圧ブロックの鈍角の稜線部及び該稜線部を挟む平面部で天板および底板を押圧する際の圧縮変形作業を容易にした。
【発明を実施するための最良の形態】
【０００９】  本発明の空容器潰し機の構成を図１乃至図１０に基づき説明する。図１に示すように、ベース１上に前後方向に延在した受圧ブロック１６を配設した、該受圧ブロック１６に対向して上方に、ヘッド３の下方に前後方向に延在した加圧ブロック１７を配設する。【００１０】  又、上記加圧ブロック１７を吊支したヘッド３の後辺に枠形の後部ガイド８を設け、該後部ガイド８をベース１の後辺から立設した支柱２に外挿し、該ヘッド３を後部ガイド８の案内下で加圧ブロック１７と一体に該支柱２に沿って上下動せしめる。【００１１】  上記後部ガイド８は、支柱２に対し前後方向に一定の遊びを有し、この遊びにより加圧ブロック１７の前後の傾きを許容する。【００１２】  上記支柱２に該ベース１の上方において上下回動する操作レバー４の基端を支軸５を以って枢支して、ベース１前方へ向け延設し、該操作レバー４と該ヘッド３間を中間リンク６・７にて枢結し、該操作レバー４の支軸５を支点とする上下回動によりヘッド３即ち加圧ブロック１７を上下動する。【００１３】  上記操作レバー４の回動運動をヘッド３に伝達する中間リンクは、前後に間隔を置いて並設した二本のリンク６・７で形成し、各リンク６・７の上端を操作レバー４の中間延在部の前後に支軸９・１０を以って各々枢結すると共に、各リンク６・７の下端を上記ヘッド３の前後に支軸１１・１２を以って枢結する。よって、操作レバー４とヘッド３間を二本の並行リンク６・７にて連結する。【００１４】操作レバー４の支軸５とは反対側の端部に手操作用の把手１３を配設し、また操作レバー４に係止ピン１４を配設すると共に、上記支柱２の支軸５の上部に枢支した上下回動するフック１５を配設し、該操作レバー４を上方回動位置（待機位置）において上記フック１５を該係止ピン１４に係止することにより、該操作レバー４を上方回動位置で保持し、上記受圧ブロック１６上に空容器３１を横置する。【００１５】  図３、図４に示すように上記ヘッド３の左右の外側面に上向き傾斜面（加圧面）を有する上部加圧子１９を突設する。【００１６】  又、図１、図２、に示すように上記ヘッド３の前部及び、後部の下方に加圧ブロック１７の前後の軸２０の各々に外挿する枠体２１を配設し、該枠体２１は図３に示すように該軸２０の上下動を許容する加圧ブロック１７の上面とヘッド３の下面との間に遊間隔ｄを設け、且つ該軸２０の回動を許容する。【００１７】  又、図２、図３に示すように上記ヘッド３の前部に加圧ブロック１７の前方に枢支した回動バー２２を左右ホルダー２４・２５に差入して保持する。該左右ホルダー２４・２５は、各々二枚の板状で形成し該回動バー２２を挟み且つ該ホルダー２４・２５の内面と該回動バー２２の外面との間に垂直方向の遊間隔ｅを設け、該遊間隔ｅは上記の遊間隔ｄよりも大なるか等しい。【００１８】  又、図３に示すように上記加圧ブロック１７の外周面に、前後に延在する二辺１７Ａ・１７Ｂに挟まれた鋭角の稜線ａを形成し、該稜線ａの隣方に該二辺１７Ａ・１７Ｂの片方の辺１７Ｂと別の前後に延在する更なる隣辺１７Ｃに挟まれた鈍角の稜線ｂを形成し、更に該辺１７Ｃと前後に延在する更なる隣辺１７Ｄに挟まれた鋭角の稜線ｃを形成し、更に上記辺１７Ｅと該辺１７Ｄに挟まれた円弧１７Ｅを形成する。【００１９】  又、加圧ブロック１７の前面及び後面に上記の円弧１７Ｅの中心に前後方向に延在する軸２０を形成する。【００２０】  又、図２、図３に示すように加圧ブロック１７の前面に形成した軸２０に、回動バー２２を支軸２３を以って枢支する。【００２１】  又、図４、図８に示すように、上記受圧ブロック１６の上面に、上記加圧ブロック１７の鋭角の稜線ａ及び鈍角の稜線ｂに咬合する溝ｆを形成し、左右外側面に下向き傾斜（加圧面）を有する下部加圧子１８を突設する。【００２２】  又、図１に示すようにベース１の前方に縦ガイドレール２６を立設し、該縦ガイドレール２６に沿って上記ヘッド３の前端の上下動を案内する該縦ガイドレール２６に滑合した前部ガイド２７を該ヘッド３に配設する。【００２３】  又、図１、図５に示すようにベース１上に、受圧ブロック１６上に横置した空容器３１の位置決めストッパー２８を、受圧ブロック１６を中央にして左右に対向して配置する。【００２４】  この位置決めストッパー２８は例えばＬ形を呈し、Ｌ形の内部に上記空容器３１の天板３２と底板３３のエッジ部を係合して該空容器３１の前後、左右の位置決めを図る。【００２５】  又、上記ベース１の前端から、前方向に延びる安定アーム２９・３０を上記操作レバー４と平行に並設し、該安定アーム２９・３０の中間線上に上記操作レバー４が延び、同中間線上において上下回動するように構成している。【００２６】  以上の構成において、図５、図６に示すように、空容器３１の胴部を受圧ブロック１６上に横置してストッパー２８に当接し、フック１５を係止ピン１４から解除し操作レバー４を下降回動し、よって加圧ブロックｌ７は中間リンク６・７を介して下降し、上記空容器３１の胴部中央を圧縮変形するものである。【００２７】  第一次押圧時で図３、図４に示す加圧ブロック１７の回動バー２２を回動し、加圧ブロック１７の鋭角の稜線ａを下向きに該回動バー２２を回動して左ホルダー２４に差入して保持し、上記操作レバー４を下降回動して、図５に示すように受圧ブロック１６上に横置した空容器３１を図６に示すように圧潰変形せしめる。【００２８】  而して、図４に示すように、上記空容器３１は圧縮変形に伴って相対方向へ接近する天板３２及び底板３３の上部の内面を上部加圧子１９が外方へ押し、又天板３２及び底板３３の下部の内面を下部加圧子１８が外方へ押し、天板３２と底板３３を平行に強制成形せしめ且つ、圧潰した該空容器３１の上部胴板３４の中央を上記加圧ブロック１７の鋭角の稜線ａにより圧潰して略Ｖ字状に変形せしめ、該空容器３１の下部胴板３５の中央を上部胴板３４を介して上記加圧ブロック１７の鋭角の稜線ａで押圧し上記受圧ブロック１６の溝ｆにて圧潰し、該受圧ブロック１６の溝ｆを中央にして対向する稜線ｇが胴板３５の中間の両側を受け略Ｍ字状に変形せしめ、両胴板３４・３５に折り目を成形せしめる。【００２９】  ついで、図７、図８に示すように操作レバー４を上方回動し、上記フック１５で以って係止軸１４を係止して、加圧ブロック１７を上方回動位置で保持し、上記圧縮変形した空容器３１を垂直反転し、天板３２又は底板３３の左右の中央を受圧��ロック１６上に載置する。【００３０】  第二次押圧で、図８に示すように回動バー２２を左ホルダー２４から解除して加圧ブロック１７の鈍角の稜線ｂを下向きに該回動バー２２を回動し、右ホルダー２５に差入して保持し、フック１５を解除して操作レバー４を下降回動し、加圧ブロック１７を下降し、該空容器３１の天板３２又は底板３３を押圧する。【００３１】  而して、上記空容器３１の胴板３４が、図８に示すように、上記の第一次押圧で空容器３１の胴板３４・３５に折り目を形成していることにより、天板３２、底板３３に加圧ブロック１７で垂直押圧力を与えると、該胴板３４・３５は、加圧ブロック１７が下降するに伴い容易に上下に折り畳まれ、図９、図１０に示すように該空容器３１は略扁平に圧潰される。【００３２】  尚、加圧ブロック軸２０に負荷をかけない為に、上記の第一次押圧、第二次押圧時において、図４に示すように空容器３１により加圧ブロック１７が上方へ持ち上げられ該加圧ブロック１７の上面が上記ヘッド３の下面に当接し、該空容器３１の抗力を面接触で受ける。【００３３】  尚、上記空容器３１を押圧する方法は、油圧シリンダー方式、エアーシリンダー方式、油圧ジャッキ方式等のいずれの方式でも良い。
【発明の効果】
【００３４】  本発明の空容器潰し機によれば、空容器の胴板を鋭角の稜線で押圧するので、該胴板からの抗力は小さく、該空容器を変形圧潰するのに強大な押圧力を要さない。
【００３５】  又、上記の鋭角の稜線での圧潰により、片側胴板をＶ字状に変形せしめ、該胴板に対向する胴板を略Ｍ字状に変形せしめることにより折り目を形成した。
【００３６】  而して，該空容器の天板と底板を上下にして、上記空容器を上方から押圧すると折り目を形成された胴板は、上下に折り畳まれることにより、小さい押圧力で略扁平に圧潰される。
【図面の簡単な説明】
【図１】  本発明の空容器潰し機の全体斜視図である。
【図２】  図２に示すヘッド及び加圧ブロックの前面部Ａの部分拡大図である。
【図３】  ヘッド及び加圧ブロックの正面図である。
【図４】  空容器の胴部を圧縮変形せしめた状態を表す空容器潰し機の正面図である。
【図５】  受圧ブロック上に空容器の胴部中央を横置した状態を表した空容器潰し機の全体斜視図である。
【図６】  横置した空容器の胴部を第一次押圧にて加圧ブロックと受圧ブロックで圧縮した状態を表す空容器潰し機の全体側面図である。
【図７】  第一次押圧で圧潰した胴板を前後方向延在するようにし、底板を受圧ブロック上に載置した状態を表す空容器潰し機の全体側面図である。
【図８】  第一次押圧で圧潰した空容器を受圧ブロック上に載置した状態を表す空容器潰し機のヘッド、加圧ブロック及び受圧ブロック部の部分正面図である。
【図９】  略扁平状に圧潰された空容器の平面図である。
【図１０】  略扁平状に圧潰された空容器の側面図である。
【符号の説明】
１−ベース                      １５−フック
２−支柱                        １６−受圧ブロック
３−ヘッド                      １７−加圧ブロック
４−操作レバー                  １８−下部加圧子
５−操作レバー後端支軸          １９−上部加圧子
６・７−中間リンク              ２０−加圧ブロック軸
８−後部ガイド                  ２１−吊枠
９乃至１２−中間リンク支軸      ２２−回動バー
１３−操作レバーの把手          ２３−回動バー支軸
１４−係止ピン                  ２４・２５−左右ホルダー
２６−縦ガイドレール
２７−前部ガイド
２８−空容器位置決めストッパー
２９・３０−安定アーム
３１−空容器
３２−空容器の天板
３３−空容器の底板
３４・３５−空容器の胴板
ａ−加圧ブロックの鋭角稜線
ｂ−加圧ブロックの鈍角稜線
ｃ−加圧ブロックの鋭角稜線
ｄ−加圧ブロック上辺とのヘッド下辺の遊間隔
ｅ−回動レバーとホルダー２４・２５との垂直方向の遊間隔
ｆ一受圧ブロックの溝
ｇ−受圧ブロックの稜線
１７Ａ−加圧ブロックの辺
１７Ｂ−加圧ブロックの辺
１７Ｃ−加圧ブロックの辺
１７Ｄ−加圧ブロックの辺
１７Ｅ−加圧ブロックの円弧
【図１】
2005088079.tif 000003
【図２】
2005088079.tif 000004
【図３】
2005088079.tif 000005
【図４】
2005088079.tif 000006
【図５】
2005088079.tif 000007
【図６】
2005088079.tif 000008
【図７】
2005088079.tif 000009
【図８】
2005088079.tif 000010
【図９】
2005088079.tif 000011
【図１０】
2005088079.tif 000012